(57)【要約】【課題】  多次元の物理量を一度に入力することができる情報入出力装置を提供する。【解決手段】  圧力分布センサ１に複数の圧力点が同時に多次元情報として入力されると、これら圧力点の圧力量、移動速度、移動方向の三次元の物理量から感情情報検出部８０１により感情情報が検出され、この検出された感情情報に基づいて感情表現判定部８０２により感情表現が判定され、この判定結果を感情表現出力部９により人形７の顔の表情や音声として出力する。【選択図】      図１
2008217684.tif 000002
【特許請求の範囲】
【請求項１】
複数の圧力点を入力可能にした情報入力手段と、
前記情報入力手段に入力された圧力点の圧力量、移動速度及び移動方向の少なくとも１つの物理量を検出する情報検出手段と、
前記情報検出手段により検出された圧力点の物理量に基づいて入力された表現内容を判定する表現判定手段と、
を具備したことを特徴とする情報入出力装置。
【請求項２】
前記情報入力手段は、電極片を複数並べて配置した第１の電極群と、該第１の電極群に直交した状態で間隙をもって重ねて配置される、電極片を複数並べて配置した第２の電極群を有し、前記第１及び第２の電極群のそれぞれの電極片の交差する点の圧力を計測可能にしたことを特徴とする請求項１記載の情報入出力装置。
【請求項３】
前記情報検出手段は、前記第１及び第２の電極群のそれぞれの電極片の交差する点の圧力量をラベリングにより塊にグループ分けし、該塊が２個以上あれば、それぞれの圧力比、相対速度、相対移動方向の少なくとも一つを物理量として検出することを特徴とする請求項２記載の情報入出力装置。
【請求項４】
前記表現判定手段で判定された内容に応じて出力する情報出力手段をさらに有し、
前記表現判定手段は、前記情報検出手段により検出された物理量に基づいて感情の表現内容を判定し、
前記情報出力手段は、前記表現判定手段で判定された感情の表現内容を音声又は喜怒哀楽の表現で出力することを特徴とする請求項１又は３に記載の情報入出力装置。
【請求項５】
情報検出手段は、さらに物理量の時間的変化を検出可能にしたことを特徴とする請求項１記載の情報入出力装置。
【請求項６】
表現判定手段は、前記情報検出手段により検出される圧力点の物理量を暗号情報として判定することを特徴とする請求項１記載の情報入出力装置。
【発明の詳細な説明】
【技術分野】
【０００１】
本発明は、マンマシンインターフェースとして用いられる情報入出力装置に関するものである。
【背景技術】
【０００２】
最近、ロボット分野などの発達は目覚しいものがあり、叩(たた)いたり、撫でたりしてユーザーの感情をロボットに入力するヒューマンフレンドリーなマンマシンインターフェースが数多く実用化されている。これは、ゲーム機器や携帯電話においても同様である。
【０００３】
従来、この種の方法として、特許文献１には、ロボットに空気圧センサを設け、この空気圧センサの検知圧力に基づいてロボットに所定の動きを行わせるものが開示されている。また、特許文献２には、触覚センサの出力ベクトルのクラスタリングを行い、触り方などを判別する方法が開示されている。
【特許文献１】特開２００１−３４７４７９公報
【特許文献２】特開２００６−１２３１４０号公報
【発明の開示】
【発明が解決しようとする課題】
【０００４】
ところが、特許文献１の方法は、人が撫でたり叩いたりすることを検知可能にしたもので、ロボットに簡単な動きを行わせるのにすぎず、ユーザーのより多くの感情をロボットに入力するものとしては満足のいくものでない。また、特許文献２の方法は、情報処理が複雑すぎて使い勝手が悪く、特に、人間の感情表現にマッチした、一度に入力される複数情報に対応した応答について何も記されていない。
【０００５】
ところで、従来、一度に複数の情報を入力するものとして、多次元の物理量を一度に入力するマンマシンインターフェースとして多次元情報入出力装置の考えは存在しているが、これを実現するに至っていない。つまり、例えば、ユーザーが指先で２点を押すことにより圧力点が複数（２点）あるような場合の反応については、実用化のための検討が十分になされていなかった。これは、圧力点を検出するための一般的なタッチパネルが1点の圧力点の検出しかできないからである。
【０００６】
一般的に普及している抵抗膜方式のタッチパネルは、圧力点を１点しか検出できないので、入力パターンのバリエーションが少なく入力表現が限られたものとなり、例えば、くすぐる、揉（も）む、つまむなどの人間の感情を入力するものとしては、十分なものでなかった。また、タッチパネルの入力点の圧力量、移動速度を利用した暗号入力などについてもあまり検討されていない。
【０００７】
本発明は上記事情に鑑みてなされたもので、多次元の物理量を一度に入力することができる情報入出力装置を提供することを目的とする。
【課題を解決するための手段】
【０００８】
本発明にかかる情報入出力装置は、
複数の圧力点を入力可能にした情報入力手段と、
前記情報入力手段に入力された圧力点の圧力量、移動速度及び移動方向の少なくとも１つの物理量を検出する情報検出手段と、
前記情報検出手段により検出された圧力点の物理量に基づいて入力された表現内容を判定する表現判定手段と、
を具備したことを特徴としている。
【発明の効果】
【０００９】
本発明によれば、多次元の物理量を一度に入力することができる情報入出力装置を提供できる。
【発明を実施するための最良の形態】
【００１０】
以下、本発明の実施の形態を図面に従い説明する。
【００１１】
(第１の実施の形態)
図１は、本発明の第１の実施の形態が適用される情報入出力装置の概略構成を示している。図１において、１は情報入力手段としての圧力分布センサで、この圧力分布センサ１は、多次元情報、つまり複数の圧力点を感情情報として一度に入力可能にしている。図２は、圧力分布センサ１の概略構成を示すもので、この場合、圧力分布センサ１は、２つの電極群２，３からなっている。電極群２は、短冊状の電極片２ａ、２ｂ、…２ｎをＸ方向に多数並べて配置され、また、電極群３は、短冊状の電極片３ａ、３ｂ、…３ｎをＹ方向に多数並べて配置されている。そして、これら電極群２，３は、電極群３を上にして直交させた状態で間隙をもって重ねて配置されている。また、電極片２ａ、２ｂ、…２ｎと電極片３ａ、３ｂ、…３ｎのそれぞれ交差する位置の間には、図３（ａ）に示すような抵抗体４が挿入されている。この抵抗体４は、上側の電極片３ａ、３ｂ、…３ｎに加わる押圧力により抵抗値を変化するもので、例えば、カーボンを練りこんだ導電性ゴムや、カーボンファイバを練りこんだ樹脂などが用いられる。
【００１２】
この場合、抵抗体４に代えて図３（ｂ）に示すように、可変容量コンデンサ５を用いることもできる。この可変容量コンデンサ５は、上側の電極片３ａ、３ｂ、…３ｎに加わる押圧力により静電容量を変化するもので、例えば、スポンジなどを挿入することで、可変容量コンデンサを構成している。この可変容量コンデンサ５を用いる場合は、電極群２，３の間に交流電流を流し、静電容量変化によるインピーダンス変化を順次計測することにより、それぞれの圧力量を計測する。
【００１３】
勿論、圧力分布センサ１には、従来のタッチパネルや静電パッド（アナログ容量結合方式）で小さな面積のものを多数用意し、これらを寄せ集めるようにしても実現できる。
【００１４】
このような圧力分布センサ１によれば、電極片２ａ、２ｂ、…２ｎと電極片３ａ、３ｂ、…３ｎのそれぞれ交差点において、圧力を計測することにより、複数の圧力点を一度に知ることができる。この場合、例えば、電極片２ａに対して電極片３ａ、３ｂ、…３ｎの順で、電圧を印加して、それぞれの交差点での電位を計測し、次に、電極片２ｂに対して電極片３ａ、３ｂ、…３ｎの順で、それぞれの交差点での電位を計測するように、電極片２ａ、２ｂ、…２ｎに対して電極片３ａ、３ｂ、…３ｎの順で、それぞれの交差点での電位を計測することにより圧力点が複数あっても、別個に圧力点の存在を検出することができる。
【００１５】
このような圧力分布センサ１は、図４に示すようにユーザーの指６により圧力が２個所以上(図Ｐ１、Ｐ２)与えられるように配置される。具体例としては、図５に示すように人形７の体の一部、例えば、腹部７０１に配置され、人の指６の接触により感情情報を入力できるようにしている。勿論、圧力分布センサ１は、人形７の頭部７０２にも配置することが可能である。
【００１６】
図１に戻って、圧力分布センサ１には、制御部８が接続されている。この制御部８は、装置全体を制御するもので、情報検出手段としての感情情報検出部８０１、情報表現手段としての感情表現判定部８０２を有している。
【００１７】
感情情報検出部８０１は、圧力分布センサ１上に人の指６が２点以上当てつけられた状態で検出される複数の圧力点から圧力分布センサ１に入力される感情情報を検出する。この場合、圧力点は、図６（ａ）（ｂ）に示すように圧力量、移動速度、移動方向の三次元の物理量が存在する。従って、これら三次元の物理量によってさまざまな感情情報の検出が可能であり、例えば、図６（ａ）に示すように圧力量について低圧、中圧、高圧の３段階、移動速度について低速、中速、高速の３段階及び同図（ｂ）に示すように移動方向について０°〜３６０°に対し８段階あった場合、３×３×８＝７２通りの感情情報の検出が可能となる。また、圧力分布センサ１上の複数の圧力点は、塊状にグループを形成していることが多いので、ここでは、これらの塊を領域分けする方法を説明する。これは画像処理の分野で一般にラベリングと呼ばれている手法である。この場合、圧力分布センサ１が圧力検出できる面積の最小単位（電極群２と３の各電極片の交点面積）を触点と呼ぶ。そして、圧力分布センサ１の端から順次、触点の圧力を調べていったとき、ある触点にある閾値以上の圧力がかかっているとすると、隣接する触点を見回してみて、閾値以上の圧力点があるか否かを調べ、閾値以上の圧力点がなければ、孤立した圧力点とみなし、その触点の番号を１とし、他の触点を調べに行く。もし、隣接した触点の圧力も閾値以上なら、その触点にも同じ1番をつけ、以下、同様にして隣接した触点が閾値を超えていたら、同じ番号をつけるようにする。図７は、このようなラベリングを行った場合の例を示すもので、同図（ａ）は、塊がひとつしかない場合、同図（ｂ）は、塊が３個存在する場合である。このようにして、圧力分布センサ１の全ての領域についてラベリングにより塊状にグループ分けし、塊を調べつくしたら、今度は、各塊の重心を求め、さらに、塊が２個以上あれば、それぞれの圧力比、相対速度、相対移動方向も感情情報として検出する。この場合、圧力比、相対速度、相対移動方向の少なくとも一つであってもよい。
【００１８】
感情表現判定部８０２は、感情情報検出部８０１で検出された感情情報に基づいて予め用意されるテーブル(不図示)を用いて感情表現の内容を判定する。この場合、感情情報として、例えば、図８（ａ）に示すように、ある閾値以下の弱い圧力の２つの圧力点Ｐ１１、Ｐ１２があり、これら圧力点Ｐ１１、Ｐ１２が互いに近づいたり離れたりしていれば、感情表現の内容として「くすぐった」と判断する。また、同図（ｂ）に示すように、ある閾値以上の圧力点Ｐ２１、Ｐ２２があり、これらが互いに近づいたり、離れたりしていれば、感情表現の内容として「もんだ」と判断する。さらに同図（ｃ）に示すように、ある閾値以下の弱い圧力Ｐ３１、Ｐ３２の二つの圧力点がほぼ同じ方向に移動していれば、感情表現の内容として「撫でられた」と判断する。さらにまた、同図（ｄ）に示すように、ある閾値以上の大きな圧力Ｐ４１、Ｐ４２の二つの圧力点がほぼ同じ方向に移動していたら、感情表現の内容として「ひっかかれた」と判断する。
【００１９】
なお、図８の例では、「圧力量」と「移動方向」によりカテゴリ判別したが、「移動速度」も加味することで、新たなカテゴリわけや程度判断などが可能である。
【００２０】
制御部８には、情報出力手段としての感情表現出力部９が接続されている。この感情表現出力部９は、感情表現判定部８０２で判定された感情表現の内容を出力するもので、例えば、図５で述べた人形７の顔の表情や音声として出力される。例えば、感情表現判定部８０２で「くすぐった」と判断した場合は、笑い声を出力する。また、感情表現判定部８０２で「もんだ」と判断した場合は、「気持ちよい」などの肯定反応、あるいは「気持ち悪い」などの否定反応を音声として出力する。さらに、感情表現判定部８０２で「撫でられた」と判断した場合は、気持ちのよい微かな笑い声を出力する。さらにまた、感情表現判定部８０２で「ひっかかれた」と判断した場合は、悲鳴声を出力する。
【００２１】
次に、このように構成された実施の形態の作用を図９にしめすフローチャートに従い説明する。
【００２２】
まず、ステップ９０１で、感情情報を入力する。この場合、ユーザーは、図５に示すように人形７の腹部７０１に配置された圧力分布センサ１上に指６を２点以上接触させ（図４参照）、これらの指６を移動させることにより感情情報を入力する。
【００２３】
この圧力分布センサ１に入力される感情情報は、感情情報検出部８０１で検出される(ステップ９０２)。この場合、図６（ａ）（ｂ）に示すような圧力量、移動速度、移動方向の三次元の物理量に基づいてさまざまな感情情報として検出される。また、圧力分布センサ１上の圧力点は、ラベリングにより複数の塊として検出される。この場合、塊が２個以上あれば、それぞれの圧力比、相対速度、相対移動方向も感情情報として検出される。
【００２４】
感情情報検出部８０１で検出された感情情報は、感情表現判定部８０２で感情表現が判定される（ステップ９０３）。この場合、図４に示すように２つの圧力点Ｐ１、Ｐ２が互いに近づいたり離れたりしていて、これら圧力点Ｐ１、Ｐ２がある閾値以下とすると、予め用意されるテーブル(不図示)により図８（ａ）に示す状態、つまりある閾値以下の圧力点Ｐ１１、Ｐ１２が互いに近づいたり離れたりする状態と判定し、感情表現の内容として「くすぐった」と判断する。
【００２５】
そして、感情表現判定部８０２で判定された感情表現の内容は、感情表現出力部９に出力される（ステップ９０４）。この場合、感情表現判定部８０２で「くすぐった」と判断したので、図５に示す人形７は、音声により笑い声を出力する。
【００２６】
従って、このようにすれば、圧力分布センサ１に複数の圧力点が同時に多次元情報として入力されると、これら圧力点の圧力量、移動速度、移動方向の三次元の物理量から感情情報検出部８０１により感情情報が検出され、この検出された感情情報に基づいて感情表現判定部８０２により感情表現が判定され、この判定結果を感情表現出力部９により人形７の顔の表情や音声として出力するようにした。これにより、複雑な人間の感情行動を定量的に入力することができ、その量に見合った感情表現を笑いや喜びなどに関連させて表情や音声などとして出力することができるので、ユーザーに癒しや楽しみを与えることが可能となる。また、従来から人間の動作に直結した感情の入力が可能になることで、高度なヒューマンフレンドリーなインターフェースが実現でき、ユーザーにさらなる満足感を与えることができる。さらに、人形などに対して感情を入力できるので、新たな商品価値を付加することができる。
【００２７】
なお、上述した実施の形態では、感情表現判定部８０２で判定された感情表現を感情表現出力部９で出力しているが、このとき出力される感情の表現は、異なる応答、すなわち、笑い方、喜び方、泣き方の強弱を変えて出力するのが望ましい。これによって飽きの来ない装置をつくるができる。さらに、表現の内容にランダム性を与えたり、連続して同じ反応にならないように、反応の出現回数をカウントしておくなどの工夫もある。
【００２８】
さらに、上述した実施の形態では、人形などの玩具に適用する例を述べたが、例えば、図１０に示すような携帯電話１１にも適用できる。この場合、携帯電話１１の本体の一部に圧力分布センサ１２が配置され、この圧力分布センサ１２より情報、つまり複数の圧力点を一度に入力することにより携帯電話１１を制御するようにもできる。この場合、圧力分布センサ１２は１箇所とは限らず、複数箇所にあってもよい。また、携帯電話だけでなく、その充電器、パソコン、携帯情報機器などあらゆる機器を対象にすることができる。さらに圧力分布センサ１２は、これら機器本体に直接設けてもよいが、機器本体にカバーをかぶせ、このカバーに圧力分布センサ１２を含む情報入出力装置を装着するようにしてもよい。特に、情報入出力装置を装着した動物や人間の子供の形をしたカバーを機器本体にかぶせると効果的である。
【００２９】
（第２の実施の形態）
次に、本発明の第２の実施の形態を説明する。
【００３０】
第１の実施の形態では、圧力分布センサ１に対する圧力の入力に対して笑いや喜び表現など、感情表現をするものについて説明したが、この第２の実施の形態では、感情表現以外のものについて説明する。
【００３１】
この場合、図１１に示すように圧力分布センサ１の圧力点の塊の動きが円弧(図示矢印方向)を描いたならば、何か独り言をしゃべったり、明日の天気を教えてくれたりするようにしている。つまり、圧力点の塊が円弧を描くということは、圧力点の移動方向が徐々に変化することであり、このような物理量の時間的変化に対しても何らかの応答をするようにしている。このような時間的要素を加えることにより、入力可能な情報量をさらに増やすことができる。
【００３２】
（第３の実施の形態）
次に、本発明の第３の実施の形態を説明する。
【００３３】
ところで、暗証番号などの入力はキーボードによる数字入力が一般的に採用されているが、この方法では、キーボードへの数字の入力時に番号が盗み見されたりすることがある。
【００３４】
この第３の実施の形態では、このような問題を解決するものである。この場合、図１２に示すように圧力分布センサ１上の、例えば３点に同時に圧力をかけたとき、これら圧力点ａ、ｂ、ｃの圧力比に特別な意味を持たせるようにしている。つまり、これら圧力点ａ、ｂ、ｃの圧力比を暗号のように使い、秘密情報の呈示を行うようにしている。この場合、各圧力点ａ、ｂ、ｃの圧力量を人間が正確に認識するのは困難なので、音や、ディスプレイの模様などと関連付けて圧力量を操作者に知らせるようにする。例えば、圧力量を音や色で表現したり、圧力量と画像を関連させてもよい。このようにすれば、圧力分布センサ１上での情報、つまり複数の圧力点の入力が数字以外の暗号となり、セキュリティー性を高める上で十分な効果を期待できる。
【００３５】
勿論、この場合も、圧力分布センサ１上での圧力、速度、移動方向などの情報入力を用いることにより、さらにセキュリティー性を高めた暗号入力が可能となる。
【００３６】
その他、本発明は、上記実施の形態に限定されるものでなく、実施段階では、その要旨を変更しない範囲で種々変形することが可能である。
【００３７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００３８】
【図１】本発明の第１の実施の形態が適用される情報入出力装置の概略構成を示す図。
【図２】第１の実施の形態に用いられる圧力分布センサの概略構成を示す図。
【図３】第１の実施の形態に用いられる圧力分布センサの原理を説明する図。
【図４】第１の実施の形態に用いられる圧力分布センサへの感情情報の入力例を示す図。
【図５】第１の実施の形態の適用例を示す図。
【図６】第１の実施の形態の物理量の入力例を説明する図。
【図７】第１の実施の形態の圧力分布の領域分け（ラベリング）を説明する図。
【図８】第１の実施の形態に用いられる感情表現判定部を説明する図。
【図９】第１の実施の形態の動作を説明するフローチャート。
【図１０】第１の実施の形態の変形例の概略構成を示す図。
【図１１】本発明の第２の実施の形態を説明する図。
【図１２】本発明の第３の実施の形態を説明する図。
【符号の説明】
【００３９】
１…圧力分布センサ、２．３…電極群
２ａ、２ｂ、…２ｎ…電極片
３…電極群、３ａ、３ｂ、…３ｎ…電極片
４…抵抗体、５…可変容量コンデンサ
６…指、７…人形、７０１…腹部
７０２…頭部、８…制御部
８０１…感情情報検出部
８０２…感情表現判定部
９…感情表現出力部、１１…携帯電話
１２…圧力分布センサ
【図１】
2008217684.tif 000003
【図２】
2008217684.tif 000004
【図３】
2008217684.tif 000005
【図４】
2008217684.tif 000006
【図５】
2008217684.tif 000007
【図６】
2008217684.tif 000008
【図７】
2008217684.tif 000009
【図８】
2008217684.tif 000010
【図９】
2008217684.tif 000011
【図１０】
2008217684.tif 000012
【図１１】
2008217684.tif 000013
【図１２】
2008217684.tif 000014